(57)【特許請求の範囲】
【請求項１】
インタネット上の所定のサーバ（４０）と、前記インタネットに接続可能な複数の測定器（２０（１）〜２０（ｎ））と、表示部を有する端末（１０）とからなる測定システムであって、
前記各測定器は、
電子メールを受信する電子メール受信手段（２９）と、
当該測定器の制御を行うための制御情報と、該制御情報にそれぞれ対応する文字列情報とを予め記憶しているデータベース（３１）と、
前記電子メール受信手段が受信した電子メールの文字列情報を、前記データベースを参照して前記制御情報に変換するデータ変換手段（３０）と、
前記データ変換手段で変換された制御情報を解読し、解読結果が設定可能か否かを判定し、設定可能と判定された解読結果に基づいて当該測定器の制御を行う測定制御部（２３）とをそれぞれ有しており、
前記サーバは、
前記各測定器のメールアドレス、型名、設置場所を含むそれぞれの属性情報、該各測定器それぞれの設定可能な制御の項目および該項目に対応する文字列情報を予め記憶している測定器データベース（４４）と、
前記端末からのアクセスを受けて、前記測定器データベースに記憶されている複数の測定器の属性情報を前記端末に送って該端末の表示部に表示させ、前記複数の測定器のいずれかを選択可能にする測定器選択指示手段（４５）と、
前記測定器選択指示手段の指示に対して前記端末が指定した測定器について、前記測定器データベースに記憶されている前記制御の項目および該項目に対応する前記文字列情報を前記端末に送って該端末の表示部に表示させるとともに、前記項目に対するパラメータを設定可能にするパラメータ設定指示手段（４７）と、
前記パラメータ設定指示手段の指示に対し前記端末からパラメータを設定する情報が入力されたとき、前記測定器データベースを参照し、前記設定されたパラメータとその項目とに対応する前記文字列情報からなる電子メールを前記端末が指定した前記測定器へ送信する設定パラメータ通知手段（４８）とを有していることを特徴とする測定システム。
【請求項２】
前記各測定器は、
前記測定制御部によって得られた前記解読結果が設定可能か否かの判定結果と、測定結果の情報を前記サーバにアップロードするアップロード手段（２８）をそれぞれ有しており、
前記サーバは、
前記解読結果が設定可能か否かの判定結果をアクセスした前記端末に送信し、且つ、
前記測定器のいずれかからアップロードされた測定結果情報を、該測定器に対応する保存アドレスに記憶する測定結果保存手段（４９）と、
前記測定器選択指示手段の指示に対し前記端末が指定した測定器について、パラメータ設定と測定結果閲覧のいずれかを選択させるための情報を前記端末に送って該表示部の画面に表示させて選択可能にする設定・閲覧選択指示手段（４６）と、
前記設定・閲覧選択指示手段の指示に対し前記端末から測定結果閲覧を指定する情報が入力されたとき、前記端末が選択した測定器に対応する保存アドレスから測定結果情報を読み出して前記端末に送信する測定結果通知手段（５１）とを有していることを特徴とする請求項１記載の測定システム。
【発明の詳細な説明】
【０００１】
【発明の属する技術分野】
本発明は、測定器に対する制御を測定器から離れた任意の場所からできるようにするための技術である。
【０００２】
【従来の技術】
測定器の制御を離れた場所で行なうリモート制御の場合、従来では、測定器とパーソナルコンピュータ等の外部装置との間をＧＰＩＢインタフェースを介してケーブル接続し、外部装置から制御用のコマンド情報を測定器に送り、測定器のパラメータ等を設定している。
【０００３】
【発明が解決しようとする課題】
しかしながら、上記した有線式のＧＰＩＢインタフェースを用いたリモート制御では、測定器が解読できるコマンド情報を生成する機能を有する専用化された外部装置が必要となり、また、規定されたケーブル長の範囲内でしか測定器と外部装置とを離間させることができず、無人化された施設や環境的に常駐が困難な場所での測定には利用できないという不便さがあった。
【０００４】
本発明は、この問題を解決し、汎用の端末で任意の場所から測定器を制御できる測定システムを提供することを目的としている。
【０００５】
【課題を解決するための手段】
前記目的を達成するために、本発明の請求項１の測定システムは、
インタネット上の所定のサーバ（４０）と、前記インタネットに接続可能な複数の測定器（２０（１）〜２０（ｎ））と、表示部を有する端末（１０）とからなる測定システムであって、
前記各測定器は、
電子メールを受信する電子メール受信手段（２９）と、
当該測定器の制御を行うための制御情報と、該制御情報にそれぞれ対応する文字列情報とを予め記憶しているデータベース（３１）と、
前記電子メール受信手段が受信した電子メールの文字列情報を、前記データベースを参照して前記制御情報に変換するデータ変換手段（３０）と、
前記データ変換手段で変換された制御情報を解読し、解読結果が設定可能か否かを判定し、設定可能と判定された解読結果に基づいて当該測定器の制御を行う測定制御部（２３）とをそれぞれ有しており、
前記サーバは、
前記各測定器のメールアドレス、型名、設置場所を含むそれぞれの属性情報、該各測定器それぞれの設定可能な制御の項目および該項目に対応する文字列情報を予め記憶している測定器データベース（４４）と、
前記端末からのアクセスを受けて、前記測定器データベースに記憶されている複数の測定器の属性情報を前記端末に送って該端末の表示部に表示させ、前記複数の測定器のいずれかを選択可能にする測定器選択指示手段（４５）と、
前記測定器選択指示手段の指示に対して前記端末が指定した測定器について、前記測定器データベースに記憶されている前記制御の項目および該項目に対応する前記文字列情報を前記端末に送って該端末の表示部に表示させるとともに、前記項目に対するパラメータを設定可能にするパラメータ設定指示手段（４７）と、
前記パラメータ設定指示手段の指示に対し前記端末からパラメータを設定する情報が入力されたとき、前記測定器データベースを参照し、前記設定されたパラメータとその項目とに対応する前記文字列情報からなる電子メールを前記端末が指定した前記測定器へ送信する設定パラメータ通知手段（４８）とを有している。
【０００６】
また、本発明の請求項２の測定システムは、請求項１の測定システムにおいて、
前記各測定器は、
前記測定制御部によって得られた前記解読結果が設定可能か否かの判定結果と、測定結果の情報を前記サーバにアップロードするアップロード手段（２８）をそれぞれ有しており、
前記サーバは、
前記解読結果が設定可能か否かの判定結果をアクセスした前記端末に送信し、且つ、
前記測定器のいずれかからアップロードされた測定結果情報を、該測定器に対応する保存アドレスに記憶する測定結果保存手段（４９）と、
前記測定器選択指示手段の指示に対し前記端末が指定した測定器について、パラメータ設定と測定結果閲覧のいずれかを選択させるための情報を前記端末に送って該表示部の画面に表示させて選択可能にする設定・閲覧選択指示手段（４６）と、
前記設定・閲覧選択指示手段の指示に対し前記端末から測定結果閲覧を指定する情報が入力されたとき、前記端末が選択した測定器に対応する保存アドレスから測定結果情報を読み出して前記端末に送信する測定結果通知手段（５１）とを有している。
【０００９】
【発明の実施の形態】
以下、図面に基づいて本発明の実施の形態を説明する。
図１は、本発明を適用した測定システムを示すものであり、インタネット１に接続可能な複数の測定器２０（１）、２０（２）、…２０（ｎ）、インタネット１に設けられたサーバ４０およびインタネット１に接続可能で表示部を有する端末１０とで構成されている。なお、端末１０は、携帯電話、ＰＨＳ等の無線端末や、これらを通信インタフェースとするコンピュータ、あるいは有線電話回線に接続されたコンピュータのいずれであってもよい。
【００１０】
各測定器２０（１）〜２０（ｎ）は、図２に示すように構成されている。
図２において、測定部２１は、測定対象（図示せず）に対して測定を行なうためのものであり、測定値検出部２２、測定制御部２３、操作部２４および表示器２５によって構成されている。
【００１１】
測定値検出部２２は、測定対象の特性を表す測定値を検出するためのものであり、例えば測定器がスペクトラムアナライザであれば、測定対象から出力される信号に対して、指定された周波数範囲を掃引しながら、指定された分析帯域幅で各周波数毎の振幅値を検出する。
【００１２】
測定制御部２３は、操作部２４から入力される制御情報や後述するデータ変換手段３１から入力される制御情報（コマンド情報）の解読結果に基づいて測定値検出部２２を含むこの測定器２０全体の動作等を制御し、その結果得られた数値や波形の測定結果を表示器２５に表示させる。
【００１３】
また、測定制御部２３は、操作部２４の操作やコマンド情報等によって設定されたタイミングに測定結果情報を後述するアップロード手段２８に出力でき、また、コマンド情報の解読結果が実行可能か否かを判定し、その判定結果をアップロード手段２８へ出力するように構成されている。
【００１４】
通信インタフェース２６は、この測定器２０を有線電話回線網や移動体通信網等を介してインタネット１に接続させるためのものであり、有線電話回線網に対してはモデム装置、ターミナルアダプタ等で構成され、携帯電話やＰＨＳ等の移動体通信網に対しては、携帯電話、ＰＨＳ等の端末本体とインタフェースカードとを組合せたものやカード型の端末によって構成されている。
【００１５】
サーバアドレス設定手段２７には、インタネット１上のサーバ４０のサーバアドレスＡｓが設定されている。
【００１６】
アップロード手段２８は、測定制御部２３から出力される判定結果および測定結果情報Ｒを、所定のプロトコル（ＦＴＰ）によってサーバーアドレス設定手段２７に設定されているアドレスＡｓのサーバ４０にアップロードする。
【００１７】
電子メール受信手段２９は、測定器２０宛ての電子メールを通信インタフェース２６を介して受信する。
【００１８】
データ変換手段３０は、コマンド情報に対応する文字列を含む電子メールがサーバ４０から送られてきたときに、データベース３１を参照してその電子メールの文字列情報をコマンド情報に変換して測定制御部２３に入力する。
【００１９】
なお、データベース３１には、測定制御部２３が解読可能なコマンド情報とそれに対応する文字列情報とが予め記憶されている。
【００２０】
一方、サーバ４０は図３の構成を有している。
図３において、通信インタフェース４１はインタネット１に接続され、各測定器２０（１）〜２０（ｎ）および端末１０との間で通信を行なう。
【００２１】
ユーザデータベース４２には、このサーバ４０にアクセスする権限を有する者に対して予め付与されたユーザＩＤとパスワードが登録されている。
【００２２】
認証手段４３は、このサーバ４０にアクセスしてきた端末１０に対する認証処理を行なうためのものであり、アクセス元の端末１０にユーザＩＤおよびパスワードの入力を指示し、端末１０から送られてきたユーザＩＤとパスワードがユーザデータベース４２の内容と一致しているか否かを判定する。
【００２３】
測定器データベース４４には、各測定器２０の型名、設置場所、シリアル番号等の属性情報Ｚ（１）〜Ｚ（ｎ）、各測定器２０（１）〜２０（ｎ）に設定可能な項目とその項目のコマンド情報に対応付けられた文字列情報、各測定器２０（１）〜２０（ｎ）のメールアドレスＡｍ（１）〜Ａｍ（ｎ）および各測定器２０（１）〜２０（ｎ）の測定結果を保存するための保存アドレスＡｓｓ（１）〜Ａｓｓ（ｎ）が登録されている。
【００２４】
測定器選択指示手段４５は、認証手段４４で認証された端末１０に対して、測定器データベース４４に登録されている各測定器２０（１）〜２０（ｎ）の属性情報Ｚ（１）〜Ｚ（ｎ）を含む測定器選択画面の情報を端末１０に送信してその端末１０の表示部に表示させて、いずれかの測定器を選択可能にする。
【００２５】
設定・閲覧選択指示手段４６は、測定器選択指示手段４５の指示に対して端末１０側から指定された測定器２０（ｉ）について、「パラメータ設定」と「測定結果閲覧」のいずれか選択させるための設定閲覧選択画面の情報を送信して端末１０表示部に表示させ、そのいずれかを選択可能にする。
【００２６】
パラメータ設定指示手段４７は、設定・閲覧選択指示手段４６の指示に対して端末１０からパラメータ設定を指定する情報が入力されたとき、端末１０が選択した測定器２０（ｉ）について設定可能な項目とその項目に対応する文字列情報を含む設定画面の情報を送信して、端末１０の表示部に表示させ、項目毎のパラメータを設定可能にする。
【００２７】
設定パラメータ通知手段４８は、端末１０が設定した項目のコマンド情報とそのパラメータの値に対応する文字列情報からなる電子メールを、端末１０が選択した測定器２０（ｉ）へ送信する。
【００２８】
測定結果保存手段４９は、各測定器２０（１）〜２０（ｎ）からアップロードされた測定結果情報を、測定結果記憶部５０の各測定器毎に割り当てられた保存アドレスＡｓｓ（１）〜Ａｓｓ（ｎ）にそれぞれ記憶する。
【００２９】
測定結果通知手段５１は、設定・閲覧選択指示手段４６の指示に対してアクセス元の端末１０が測定結果閲覧を選択したとき、その端末１０が選択した測定器２０（ｉ）の測定結果情報を測定結果記憶部５０の保存アドレスＡｓｓ（ｉ）から読み出してアクセス元の端末１０に送信する。
【００３０】
次に、この測定システムの動作を説明する。
図４に示しているように、始めに、一つの測定器２０（ｉ）に対するパラメータの設定を行なうために端末１０からサーバ４０にアクセスする（Ｓａ１）と、サーバ４０は、アクセス元の端末１０に対してユーザＩＤ、パスワードを入力させるための認証画面の情報を送信する（Ｓｂ１）。
【００３１】
この認証画面が表示された端末１０の操作によりユーザＩＤとパスワードが入力される（Ｓａ２、Ｓａ３）と、サーバ４０は、入力されたユーザＩＤとパスワードがユーザデータベース４２に登録されているか否かを調べ（Ｓｂ２）、登録されていれば測定器データベース４４に登録されている測定器２０（１）〜２０（ｎ）の属性情報Ｚ（１）〜Ｚ（ｎ）を含む測定器選択画面の情報をアクセス元の端末１０へ送信する（Ｓｂ３）。
【００３２】
このため、端末１０の表示部１０ａには、例えば図５に示すように、各測定器２０（１）〜２０（ｎ）の型名、設置場所、シリアル番号等の属性情報の一覧からなる測定器選択画面が表示され（Ｓａ４）、この画面上で端末１０の操作によって測定器２０（ｉ）が選択される（Ｓａ５）と、サーバ４０は、その選択された測定器２０（ｉ）について、パラメータ設定か測定結果閲覧のいずれかを選択するための設定閲覧選択画面の情報を端末１０に送信する（Ｓｂ４）。
【００３３】
このため、端末１０の表示部１０ａには、「パラメータ設定」と「測定結果閲覧」の項目からなる設定・閲覧選択画面が表示され（Ｓａ６）、この画面上で「パラメータ設定」が選択される（Ｓａ７）と、サーバ４０は、測定器２０（ｉ）について設定可能な項目とその項目に対応する文字列情報とを含む設定画面の情報を端末１０に送信する（Ｓｂ５）。
【００３４】
このため、端末１０の表示部１０ａには、例えば図６に示すように、設定項目Ｋ１、Ｋ２、…とパラメータ設定欄等からなる設定画面が表示され（Ｓａ８）、この設定画面上で端末１０の操作によってパラメータが設定される（Ｓａ９）と、サーバ４０は、パラメータが設定された項目とそのパラメータとで決まるコマンド情報に対応する文字列情報を生成し、これを電子メールによって選択された測定器２０（ｉ）に送信する（Ｓｂ６）。
【００３５】
この電子メールを受けた測定器２０（ｉ）は、電子メールの文字列情報をコマンド情報に変換し、そのコマンド情報を解読し、解読結果が設定可能か否かを判定し、その判定結果を示す情報をサーバ４０へアップロードするとともに、設定可能と判定された解読結果を実行する（Ｓｃ１〜Ｓｃ５）。
【００３６】
この測定器２０（ｉ）からアップロードされた判定結果の情報は、サーバ４０から端末１０に送られ（Ｓｂ７）、端末１０の表示部１０ａに表示される（Ｓａ１０）。この表示からパラメータの設定が正しく実行されたか否かを確認することができる。
【００３７】
次に、測定結果の保存および閲覧の動作を図７に基づいて説明する。
なお、測定器２０（ｉ）は前記したリモート制御等によって予め設定されたタイミングに測定結果をアップロードするように設定されているものとする。
【００３８】
そして、その設定タイミングになると測定結果情報Ｒがサーバ４０にアップロードされる（Ｓｃ６）。
【００３９】
このアップロードを受けたサーバ４０は、測定器２０（ｉ）の測定結果情報Ｒを測定結果記憶部５０の保存アドレスＡｓｓ（ｉ）に記憶する（Ｓｂ８）。
【００４０】
一方、測定結果を閲覧する場合には、前記同様に、端末１０からサーバ４０をアクセスして認証処理を受け、測定器２０（ｉ）を選択し、設定閲覧選択画面上で測定結果閲覧を選択する（Ｓａ１〜Ｓａ６、Ｓｂ１〜Ｓｂ４、Ｓａ１１）。
【００４１】
端末１０によって測定結果閲覧が選択されると、サーバ４０は、測定結果記憶部５０に記憶されている測定結果情報のうち、端末１０が選択した測定器２０（ｉ）の保存アドレスＡｓｓ（ｉ）に記憶されている測定結果情報Ｒを読み出してアクセス元の端末１０に送信する（Ｓｂ９）。
【００４２】
このため、端末１０の表示部１０ａには、例えば図８に示すような測定結果情報Ｒ（この例ではスペクトラム波形）が表示されることになる（Ｓａ１２）。
【００４３】
このように、実施形態の測定システムでは、サーバ４０がアクセス元の端末１０と対話形式で通信を行い、測定器２０（ｉ）を選択させ、パラメータを設定させて、その設定パラメータを端末１０が選択した測定器２０（ｉ）へ電子メールで通知することで、測定器２０（ｉ）をリモート制御している。
【００４４】
このため、インタネット１に接続可能な汎用の端末１０の簡単な操作で任意の場所から測定器２０の制御が行なえる。
【００４５】
また、各測定器２０（１）〜２０（ｎ）の測定結果をインタネット１のサーバ４０にアップロードしているので、汎用の端末１０によって任意の場所から測定結果を閲覧することができる。
【００４７】
また、前記した測定システムでは、端末１０と測定器２０（１）〜２０（ｎ）と間で直接通信を行なっていないが、例えば測定器に異常が発生したことを端末１０に直接通知してもよい。
【００４８】
この場合には、図９に示すように、各測定器２０（１）〜２０（ｎ）に電子メール送信手段３２を設け、測定制御部２３が異常を発見して出力したアラーム情報に対応した文字列情報からなる電子メールを端末１０に送信する。
【００４９】
【発明の効果】
以上説明したように、本発明の測定システムでは、サーバがアクセス元の端末と対話形式で通信を行ってパラメータを設定させて、その設定パラメータを測定器へ電子メールで通知することで、測定器をリモート制御している。
【００５０】
このため、インタネットに接続可能な汎用の端末の簡単な操作で任意の場所から測定器の制御が行なえる。
【００５１】
また、複数の測定器を有する測定システムにおいて、サーバがアクセス元の端末と対話形式で通信を行って、測定器を選択させ、パラメータを設定させて、その設定パラメータを選択された測定器へ電子メールで通知することで、選択された測定器をリモート制御している。
【００５２】
このため、インタネットに接続可能な汎用の端末の簡単な操作で任意の場所から複数の測定器に対する制御が行なえる。
【００５３】
また、測定器の測定結果をサーバにアップロードしているので、汎用の端末によって任意の場所から測定結果を閲覧することができる。
【図面の簡単な説明】
【図１】本発明の実施形態の全体図
【図２】実施形態の要部の構成を示すブロック図
【図３】実施形態の要部の構成を示すブロック図
【図４】実施形態の動作を説明するための図
【図５】端末の表示画面の例を示す図
【図６】端末の表示画面の例を示す図
【図７】実施形態の動作を説明するための図
【図８】端末の表示画面の例を示す図
【図９】電子メール送信機能を付加した測定器のブロック図
【符号の説明】
１……インタネット、１０……端末、１０ａ……表示部、２０（１）〜２０（ｎ）………測定器、２１……測定部、２２……測定値検出部、２３……測定制御部、２４……操作部、２５……表示器、２６……通信インタフェース、２７……サーバアドレス設定手段、２８……アップロード手段、２９……電子メール受信手段、３０……データ変換手段、３１……データベース、３２……電子メール送信手段、４０……サーバ、４１……通信インタフェース、４２……ユーザデータベース、４３……認証手段、４４……測定器データベース、４５……測定器選択指示手段、４６……設定・閲覧選択指示手段、４７……パラメータ設定指示手段、４８……設定パラメータ通知手段、４９……測定結果保存手段、５０……測定結果記憶部、５１……測定結果通知手段
【図１】
0003628294.tif 000002
【図２】
0003628294.tif 000003
【図３】
0003628294.tif 000004
【図４】
0003628294.tif 000005
【図５】
0003628294.tif 000006
【図６】
0003628294.tif 000007
【図７】
0003628294.tif 000008
【図８】
0003628294.tif 000009
【図９】
0003628294.tif 000010